(57)【要約】【課題】省エネ性を維持しつつ、空気調和機が設置された部屋を一時的に不在にした利用者に対して不快感を与える可能性を低減することの可能な空気調和機を提供する。【解決手段】室内機と、人の存在を検出する人感センサ及び人が保有する物品の物品情報を検出するＲＦＩＤセンサと、人感センサにより検出された人が外出したか否かを判断する外出判断部（ステップＳ１〜Ｓ５）と、外出判断部で人が外出したと判断したとき、室内機における運転状態を切り替える運転制御部（ステップＳ６）と、を備える。【選択図】図２
2019174082.tif 000002
【特許請求の範囲】
【請求項１】
室内機と、
人の存在と前記人が保有する物品の物品情報を検出する検出手段と、
前記検出手段により検出された人が外出したか否かを判断する外出判断部と、
前記外出判断部で前記人が外出したと判断したとき、前記室内機における運転状態を切り替える運転制御部と、
を備えることを特徴とする空気調和機。
【請求項２】
特定の物品情報を予め記憶した記憶部を備え、
前記外出判断部は、前記人が保有する物品の物品情報と前記記憶部に記憶されている前記特定の物品情報とを比較し、比較結果が一致し、かつその後所定時間内に前記検出手段により前記人が存在しないと判定した場合、前記人が外出したと判断し、前記運転制御部によって前記室内機における運転状態を切り替えることを特徴とする請求項１に記載の空気調和機。
【請求項３】
前記物品は前記人の着衣であり、
前記外出判断部は、前記着衣の量である着衣量を前記検出手段が検出した物品情報から算出し、前記着衣量の単位時間あたりの変化量が閾値以上であり、かつその後所定時間内に前記検出手段により前記人が存在しないと判定した場合、前記人が外出したと判断し、前記運転制御部によって前記室内機における運転状態を切り替えることを特徴とする請求項１に記載の空気調和機。
【請求項４】
前記運転制御部は、前記外出判断部で前記人が外出したと判断したとき、前記室内機の運転を停止することを特徴とする請求項１から請求項３の何れか一項に記載の空気調和機。
【請求項５】
前記検出手段は人感センサと情報取得部であることを特徴とする請求項１に記載の空気調和機。
【請求項６】
前記検出手段は撮像装置であることを特徴とする請求項１に記載の空気調和機。
【発明の詳細な説明】
【技術分野】
【０００１】
本発明は、空気調和機に関する。
【背景技術】
【０００２】
従来、人感センサにより部屋内の利用者の有無を検知し、検知結果に応じて運転状態を切り替えることにより省エネを図るようにした空気調和機が提案されている。このような空気調和機では、例えば、人感センサの検知情報に基づき所定時間内に所定回数連続して無人状態であることが検知されたときに、空気調和機の運転を停止するようにしている（例えば、特許文献１参照。）。
【先行技術文献】
【特許文献】
【０００３】
【特許文献１】特開２００７−５７１０６号公報
【発明の概要】
【発明が解決しようとする課題】
【０００４】
しかしながら、上記従来の空気調和機にあっては、例えば、利用者が空気調和機が設置された部屋とは別の部屋に一時的に移動したり、あるいは玄関口に訪問者があり空気調和機が設置された部屋を一時的に離れた場合などに、空気調和機の運転が停止する場合がある。そのため、一時的に移動していた別の部屋から空気調和機が設置された部屋に戻ってきたときや、訪問者への応対が終了し空気調和機が設置された部屋に戻ってきたときに、空気調和機の運転が停止されていることにより、利用者が不快に感じるおそれがあった。
本発明は、上記の課題に着目してなされたものであり、省エネ性を維持しつつ利用者が一時的に空気調和機が設置された部屋を離れ、その後その部屋に戻ったときに不快感を与えることを低減することができる空気調和機を提供することを目的としている。
【課題を解決するための手段】
【０００５】
上記目的を達成するために、本発明の一態様によれば、室内機と、人の存在と人が保有する物品の物品情報を検出する検出手段と、検出手段により検出された人が外出したか否かを判断する外出判断部と、外出判断部で人が外出したと判断したとき、室内機の運転状態を切り替える運転制御部と、を備える空気調和機が提供される。
【発明の効果】
【０００６】
本発明の一態様によれば、省エネ性を維持しつつ空気調和機が設置された部屋を一時的に離れた利用者に対して不快感を与えことを低減することができる。
【図面の簡単な説明】
【０００７】
【図１】本発明の一実施形態に係る空気調和機の一例を示す概略構成図である。
【図２】本発明の第一実施形態に係る自動停止制御の処理手順の一例を示すフローチャートである。
【図３】本発明の第二実施形態に係る自動停止制御の処理手順の一例を示すフローチャートである。
【発明を実施するための形態】
【０００８】
以下の詳細な説明でなされる、特定の構成に限定されることなく、実施形態で説明されている特徴的な構成の組み合わせの全てを含むものである。
以下、図面を参照して、本発明の一実施形態を説明する。以下の図面の記載において、同一部分には同一符号を付している。
【０００９】
まず、第一実施形態を説明する。
図１は、本発明の第一実施形態に係る空気調和機の構成の一例を示すブロック図である。
空気調和機１は、室内機２と、室外機（図示せず）、室内機２を駆動制御するコントローラ３と、リモートコントローラ（以下、リモコンともいう。）４と、を備える。
コントローラ３は、制御部１１と、記憶部１２と、送受信部１３とを備える。送受信部１３は、リモコン４による設定情報や各種センサの検知情報を無線で送受信する。
制御部１１は、各種センサの検知情報、および、リモコン４における各種設定情報に基づき、室内機２の制御をおこなう。また、制御部１１は、人感センサ２２で人の存在が検知されなくなると室内機２を自動的に停止させる自動停止制御を行う。また、人感センサ２２は例えばアレイ型のサーモパイルセンサ等が用いられ、人の存在の有無と人数、方向が検知可能である。
【００１０】
制御部１１には、例えば温度センサや湿度センサ等空気調和機が設置された部屋内の各種環境情報を検知するための環境情報検出センサ２１の検知情報、空気調和機が設置された部屋内に利用者が存在するか否かを検出する焦電センサ等で形成される人感センサ２２の検知情報が入力される。また、制御部１１には、物品の情報保持用のタグ２３が保持する物品２５情報を読み取るＲＦＩＤセンサ（情報取得部）２４の検知情報等が入力される。そして、制御部１１は、環境情報検出センサ２１の検知情報及びリモコン４における各種設定情報に基づき、室内機２の制御を行う。また、制御部１１は、例えばリモコン４の操作により物品２５に取付けられたタグ２３の情報（物品に関する情報）をＲＦＩＤセンサ２４により検知しその検知情報を記憶部１２に格納する。そして新たに検知された検知情報と、記憶部１２に格納されている検知情報を比較し、室内機２の運転状態を切り替えてよい状態にあるか否か、具体的には室内機２を停止させてよいか否かを判断する。そして、室内機２を停止させてよい状態にあることを検出したとき、制御部１１は室内機２を停止させる。なお、人感センサ２２及びＲＦＩＤセンサ２４で検出手段２６が構成される。尚、ＲＦＩＤセンサ２４はアレイ型のもの、あるいは指向性のある複数のセンサから構成され、タグ２３のある方向を検知することができる。
【００１１】
ここで、環境情報検出センサ２１は、空気調和機が設置された部屋内に配置される。人感センサ２２は、空気調和機が設置された部屋内に存在する利用者を感知することができる位置に配置される。尚、環境情報検出センサ２１、人感センサ２２、ＲＦＩＤセンサ（情報取得部）２４は例えば室内機２と一体であってもよい。
ＲＦＩＤセンサ２４は、室内機２内や空気調和機が設置された部屋等に設けられている。また、ＲＦＩＤセンサ２４は、空気調和機が設置された部屋内に存在するタグ２３が取り付けられた全ての物品２５について、そのタグ２３が保持する物品２５の物品情報を近距離の無線通信により非接触で読み取ることができるようになっている。
【００１２】
タグ２３は例えば無線ＩＣタグであり、予め物品２５に取り付けられている。タグ２３には、タグ２３が取り付けられた物品２５の品名や種類、番号などの物品２５を特定するための情報が格納されている。タグ２３が取り付けられる物品２５としては、例えば、コート、ジャケット、帽子、手袋、マフラー、カバン等といった、外出時に利用者が身につけるもの、また外出時に利用者が携帯するもの等といった外出時に利用者が保有するものがある。物品２５を特定する情報としては、例えば、物品２５毎に設けられた識別番号等が挙げられる。
【００１３】
タグ２３は、例えば物品２５の外表面、又は内表面等、少なくとも、ＲＦＩＤセンサ２４が、タグ２３の物品２５の情報を非接触で読み取ることができる位置に設けられている。タグ２３には、例えば物品の製造業者によって物品２５に関する情報が格納され、物品２５に取り付けられている。
リモコン４は、コントローラ３との送受信を行う送受信部３ａ、表示部３ｂ、入力操作を行うための入力部３ｃ、及び各部を制御する制御部３ｄを備える。利用者は、入力部３ｃを操作して、室内機２の起動及び停止の設定や、自動停止制御を実行させるか否かの設定等、空気調和機１を動作させるための各種情報の設定を行う。設定された各種情報は表示部３ｂに表示されると共に、制御部３ｄを介して送受信部３ａによって制御部１１に送信される。
【００１４】
図２は、制御部１１で実行される自動停止制御の処理手順の一例を示すフローチャートである。ここでは原理を簡単に説明するため、存在する人は１人として説明を行う。
制御部１１では、自動停止制御の実行が設定されているとき、室内機２が起動されている間、予め設定された一定周期で図２に示す処理を実行する。
【００１５】
制御部１１では、まず人感センサ２２の検知情報及びＲＦＩＤセンサ２４の検知情報を読み込む（ステップＳ１）。検知情報には人とタグ２３の方向の情報が含まれている。続いて、制御部１１では、人とタグ２３が同じ方向に存在するかを判定する（ステップＳ２）。同じ方向であるとき（Ｓ２−Ｙ）にはステップＳ３に移行しカウンタをスタートさせた後、ステップＳ４へ進む。同じ方向でないとき（Ｓ２−Ｎ）にはステップＳ７に移行する。ステップＳ２は人とタグ２３の方向の一致からタグ２３が付けられた物品２５を人が身につけられたかを判定している。ステップＳ４は記憶部１２に格納（登録）されている物品に関する情報と、検知情報から得られた物品２５の情報が一致するか判定する。一致しない場合（Ｓ４−Ｎ）にはステップＳ７に移行する。一致した場合（Ｓ４−Ｙ）には、ステップＳ５に移行して、人感センサ２２の検知情報から所定時間であるカウントアップ前に無人となったかを確認する。無人となった場合（Ｓ５−Ｙ）ステップＳ６へ進み、ステップＳ６では外出と判断し室内機２の運転を停止し、その後カウンタをリセット（ステップＳ８）し自動停止制御を終了する。一致しない場合（Ｓ５−Ｎ）ステップＳ７に進み、カウンタをリセットする。そして、ステップＳ１に戻る。
【００１６】
また、記憶部１２には、物品２５に関する情報のうち、利用者が登録設定した物品２５に関する情報のみ格納されればよい。登録設定においては、例えば、利用者が外出する際に着用するタグ２３が取付けられたコートなどを、リモコン４の入力部３ｃを操作することにより行わせるようにすればよい。
ここで、ステップＳ１〜Ｓ５の処理が外出判断部の機能であり、ステップＳ６の処理が運転制御部の機能である。
また、人が複数名存在する場合は、同じ方向にある人とタグ２３を紐づけし、それぞれについて上記と同様な動作をさせればよい。
【００１７】
次に、上記第一実施形態の動作を説明する。
空気調和機が設置された部屋内の利用者の存在状況は人感センサ２２で検出される。空気調和機が設置された部屋内のタグ２３が取り付けられた物品２５は、ＲＦＩＤセンサ２４によって検知される。これら人感センサ２２の検知情報及びＲＦＩＤセンサ２４の検知情報は空気調和機が設置された部屋内に利用者が居る間、制御部１１によって記憶部１２に格納される。
制御部１１は、それぞれの方向の情報から、タグ２３が取り付けられた物品２５が人に身につけられたと判定する。空気調和機が設置された部屋内の特定の利用者が、空気調和機が設置された部屋でコートや帽子を着用したりカバンを持つと、コートや帽子及びカバンの物品２５に関する情報は、ＲＦＩＤセンサ２４によって検出される。
【００１８】
コートや帽子やカバンに取り付けられたタグ２３の物品２５に関する情報は人が外出時に着用する物として記憶部１２に既に格納されていることから、制御部１１では、身につけられた物品２５と記憶部１２にある物品２５の情報を比較し、一致したときに利用者がこれから外出すると判断する。また、その後所定時間内に人感センサ２２により空気調和機が設置された部屋内が無人であることが検出されることから、制御部１１は、利用者が外出したと判断する。
そして、室内機２を停止させ、自動停止制御を終了する。これにより、室内機２を利用者が外出するときのみ停止させることができる。
【００１９】
また、前述のコート等が検出されなければ人感センサ２２が無人であることを検出したとしても室内機２は運転を継続するため、例えば他の部屋に一時的に移動し戻った際の使用者の不快感を不在のみを検知し停止する従来技術と比較し低減できる。
また、例えば上述の人感センサ２２とＲＦＩＤセンサに換えて撮像装置を用いてもよい。その場合、撮像画像の画像情報からコートや帽子、カバン等、外出時に利用者が身につける物品２５の形状や色を画像認識することにより認識する。その際はまた記憶部１２に記憶された物品に関する情報も例えば画像情報にし、画像同士の比較によって外出の判断を行わせればよい。
【００２０】
この例示は図２のフローチャートにおけるステップＳ１〜ステップＳ５に対応する。
また、上記第一実施形態においては、コートや帽子等、外出時に利用者が身につける物品２５、また外出時に利用者が携帯する物品２５にタグ２３を設ける場合について説明したが、これに限るものではない。全ての物品２５にタグ２３が付けられている場合であっても適用することができる。この場合には、空気調和機が設置された部屋内に居た利用者が外出したかどうかの判定に用いる物品２５の種別を利用者が予め登録し、タグ２３の物品２５情報から、予め利用者が登録した種別の物品２５についてのみ、その物品２５情報を記憶部１２に格納するようにし、上記と同様の手順で外出したかどうかを判定するようにしてもよい。
【００２１】
また、上述の利用者が登録設定した物品２５の関する情報に換えて、例えば人感センサ２２で長時間無人であると検知されたときに、時間的にその前にＲＦＩＤセンサ２４が検知していた物品２５に関する情報を、予め記憶部１２に格納し、制御部１１では、記憶部１２に格納（登録）されている物品に関する情報と、検知情報から得られた物品２５の情報が一致するか判定することで、外出したかどうかの判定を行なってもよい。
【００２２】
次に、本発明の第二実施形態を説明する。
この第二実施形態は、単位時間当たりの着衣量の変化量に基づき、室内機２を停止させるようにしたものである。制御部１１の処理手順が異なること以外は上記第一実施形態における、空気調和機１と同様であるので、同一部には同一符号を付与し、その詳細な説明は省略する。
第二実施形態において、タグ２３は、衣服それぞれに取り付けられ、少なくとも衣服それぞれの着衣量が、物品２５の情報として格納されている。着衣量は、クロ（ｃｌｏ）という単位で表される。１ｃｌｏは、気温２１.２℃、相対湿度５０％、風速１０cm/secの大気中で、椅子に腰掛けて安静にしている被服者が快適に感じ、且つ被服者の平均皮膚温度が３３℃を維持できるのに必要な衣服の熱絶縁値を示す。タグ２３が取り付けられる衣服としては、例えば、シャツ、ズボン、ネクタイ等の一般的な衣料品の他、手袋、帽子、マフラー等の身体に装着することができる全ての物が含まれる。
【００２３】
ＲＦＩＤセンサ２４は、室内機２内や空気調和機が設置された部屋に設けられている。また、ＲＦＩＤセンサ２４は、空気調和機が設置された部屋内に存在するタグ２３が取り付けられた全ての物品２５について、そのタグ２３が保持する物品２５の情報を近距離の無線通信により非接触で読み取ることができるようになっている。
制御部１１では、人感センサ２２の検知情報及びＲＦＩＤセンサの方向の情報を含む検知情報に基づき、特定の人の単位時間当たりの着衣量の変化量の変化が、閾値以上であることを検出し、その後、空気調和機が設置された部屋が無人となったときに、空気調和機が設置された部屋に居た利用者は外出したと判断して、室内機２を停止させる。なお、閾値は、予め設定されて所定の記憶領域に格納されている。制御部１１では自動停止制御を行う場合には、この所定の記憶領域に格納されている閾値を読み出して処理を行う。
【００２４】
図３は、第二の実施の形態における自動停止制御の処理手順の一例を示すフローチャートである。
制御部１１は、自動停止制御の実行が設定されているとき、室内機２が起動されている間、予め設定された一定周期で図３に示す処理を実行する。
まず、制御部１１は、人感センサ２２及びＲＦＩＤセンサ２４の方向の情報を含む検知情報を読み込む（ステップＳ１１）。
次に、人とタグ２３が同じ方向に存在するかを判定する（ステップＳ１２）。同じ方向であるとき（Ｓ１２−Ｙ）にはステップＳ１３に移行する。同じ方向でないとき（Ｓ１２−Ｎ）にはステップ１１に戻る。
【００２５】
ステップＳ１３では、ＲＦＩＤセンサ２４から得られた複数の物品２５の検知情報から特定の人の着衣量に関する情報の和を取ることで着衣量の総和を算出し、カウンタをスタートさせる（ステップＳ１４）。
続いて、制御部１１では、ＲＦＩＤセンサ２４の検知情報に基づき、単位時間当たりの着衣量の変化量が閾値以上であるか否かを判断する（ステップＳ１５）。単位時間当たりの着衣量の変化量は算出した着衣量の総和と、記憶部１２に記憶されている着衣量の総和との差分によって求められる。尚、記憶部１２への着衣量の格納はステップＳ１８で行われる。
【００２６】
そして、単位時間当たりの着衣量の変化量が閾値以上であるときには、空気調和機が設置された部屋内の利用者が衣類を着込んだ、つまり外出する可能性があると判断して、ステップＳ１６に移行する。つまり、冬場は屋外が寒いため、外出前にはコートや、マフラー等衣類を着込むと考えられ、すなわち着衣量が増加すると考えられる。したがって、単位時間当たりの着衣量が比較的大きく変化し衣類を着込んだと予測されるときには、外出する可能性があると判断することができる。なお、単位時間は例えば、外出時にコートやマフラー等衣類を着込むのに要する時間に基づいて設定される。
【００２７】
ステップＳ１６では、人感センサ２２の検知情報に基づき、空気調和機が設置された部屋内が所定時間であるカウントアップ前に無人になったか否かを判定し、無人になった場合には、ステップＳ１７に移行する。ステップＳ１７では、衣類を着込んだと判断され、その後、空気調和機が設置された部屋内が無人になったことから、空気調和機が設置された部屋内に居た利用者は外出したと判断し、室内機２を停止し、カウンタをリセットした後（ステップＳ１９）、自動停止制御を終了する。
【００２８】
一方、ステップＳ１５で単位時間当たりの着衣量の変化量が閾値より小さいとき（Ｓ１５−Ｎ）、また、ステップＳ１６で空気調和機が設置された部屋内が無人になっていない場合（Ｓ１６−Ｎ）には、ステップＳ１８に移行する。
ステップＳ１８では、ステップＳ１１で読み込んだ物品２５の検知情報及び人感センサ２２の検知情報と、ステップＳ１５で求めた着衣量の総和とを対応付けて記憶部１２に格納する。そして、ステップＳ２０でカウンタをリセットした後、ステップＳ１１に戻る。
ここで、ステップＳ１１〜Ｓ１６の処理が外出判断部の機能であり、ステップＳ１７の処理が運転制御部の機能となっている。
【００２９】
次に、上記第二実施形態の動作を説明する。
空気調和機が設置された部屋内の人の存在状況は人感センサ２２で検出される。また、空気調和機が設置された部屋内に存在する衣服のタグ２３がＲＦＩＤセンサ２４によって検知される。これら人感センサ２２及びＲＦＩＤセンサ２４の検知情報は、制御部１１により記憶部１２に格納される。
なお、記憶部１２には、少なくとも自動停止制御の前回の実行周期において取得された人感センサ２２及びＲＦＩＤセンサ２４の検知情報が格納されるようになっており、先の実行周期で格納された人感センサ２２及びＲＦＩＤセンサ２４の検知情報から順に記憶部１２から削除されるようになっている。
【００３０】
例えば、空気調和機が設置された部屋内の利用者が、外出するために帽子をかぶりコートを着ると、ＲＦＩＤセンサ２４によって、利用者が着用している衣類に取り付けられたタグ２３が検知される（ステップＳ１１）。また人とタグ２３の方向の比較からタグ２５の物品２５は人に身につけられたか判定する（ステップＳ１２）。制御部１１では、タグ２３の物品２５の情報から、着衣量の総和を算出する（ステップＳ１３）。所定時間をカウントするカウンタの動作についてはここでの説明は省略する。続いて、空気調和機が設置された部屋内の利用者は、外出のため帽子やコート等を着用したことから、単位時間当たりの着衣量の変化量は大きくなり、閾値を超える（ステップＳ１５）。そして、この利用者が、空気調和機が設置された部屋を出たことから、人感センサ２２の検知情報から空気調和機が設置された部屋内が無人となったことが検知される。そのため、制御部１１では、ステップＳ１５からステップＳ１６に移行し、空気調和機が設置された部屋内に居た利用者は外出したと判断する。そして、室内機２を停止させ、自動停止制御を終了する。これにより、室内機２を不要に運転させることを回避することができる。
【００３１】
また、例えば空気調和機が設置された部屋内の利用者が、別の部屋に物を取りにいったものとする。空気調和機が設置された部屋内の利用者は、通常、別の部屋に物を取りに行くのに、コートや、帽子等をさらに身につけたりしないことから、着衣量の総和は変化しない。そのため、ステップＳ１１から開始された処理はステップＳ１５を経て、ステップＳ１８に移行し、検知情報及び着衣量の総和が記憶部１２に格納される。室内機２は停止されない。
この状態から、別の部屋に物を取りにいった利用者が、空気調和機が設置された部屋に戻ってくると、人感センサ２２で感知されるが、着衣量の総和は変化しないことから、ステップＳ１１から開始された処理はステップＳ１５を経て、ステップＳ１８に移行し、引き続き室内機２は駆動される。
【００３２】
したがって、この場合も、空気調和機が設置された部屋内に居た利用者が、別の部屋に物を取りにいっている間に室内機２が停止されることはなく、一時的に空気調和機が設置された部屋が無人となったことにより、空気調和機が設置された部屋に戻ってきた利用者に対して不快感を与える可能性を不在のみを検知し停止する従来技術と比較し低減することができる。
なお、この第二実施形態においては、タグ２３に格納された着衣量をもとに、利用者の着衣量の単位時間当たりの変化量が閾値以上であり、利用者の着衣量が単位時間当たりに大きく増加し且つ空気調和機が設置された部屋が無人となったときに、利用者が外出したと判定するようにしているがこれに限るものではない。例えば、空気調和機が設置された部屋の出入り口に部屋内を撮影するカメラ等の撮像装置を設けて画像情報を取得し、画像認識を行うことで、利用者の着衣量の単位時間当たりの変化量を検出するようにしてもよい。
【００３３】
また、上記各実施形態においては、空気調和機が設置された部屋内に方向に関する情報が取得可能な人感センサ２２とＲＦＩＤセンサ２４を設ける場合について説明したが、これに限るものではない。
コートや帽子等は、玄関で着用することがあることから、人感センサ２２及びＲＦＩＤセンサ２４を玄関の照明等に設け、玄関に設けた人感センサ２２及びＲＦＩＤセンサ２４の検知情報に基づき着衣の種類や量と外出を検出し、空気調和機が設置された部屋の室内機２を停止させるようにしてもよい。こうすることにより、人感センサ２２及びＲＦＩＤセンサ２４は方向に関する情報を取得する必要はなくなる。それぞれについて人の在不在のみを検知、タグ２３からの情報を受信するだけ、というような簡易なセンサを使用することができる。
【００３４】
また、上記各実施形態においては、室内機２が設けられた家屋に一人の利用者のみが存在する場合について説明したが、本発明は、複数の利用者が存在する場合であっても適用することができる。複数の利用者が存在する場合には、例えば、空気調和機が設置された部屋内を撮影するカメラ等の撮像装置を設けて画像情報を取得し、画像認識を行うことで、コートや帽子等を着用した利用者と、空気調和機が設置された部屋外に移動した利用者とを対応付け、これに基づき、空気調和機が設置された部屋内の利用者が外出したかどうかを判断するようにすればよい。
【００３５】
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【００３６】
１  空気調和機
２  室内機
３  コントローラ
４  リモートコントローラ（リモコン）
１１  制御部
２２  人感センサ
２３  タグ
２４  ＲＦＩＤセンサ
【図１】
2019174082.tif 000003
【図２】
2019174082.tif 000004
【図３】
2019174082.tif 000005